(57)【特許請求の範囲】
【請求項１】
複数のＬＥＤが配列されたプリント基板，前記プリント基板が下面に取付けられた支持板，及び、前記支持板に取付けられ前記支持板及び前記プリント基板を下方から覆うチューブを有する直管型ＬＥＤランプと、
長手方向の両端部にそれぞれ取付けられ前記直管型ＬＥＤランプの両端を嵌め込んで支持するソケット部，及び、前記ソケット部を介して前記直管型ＬＥＤランプに電力を供給する電力供給手段を有する灯具とを備えるＬＥＤ照明装置において、
前記直管型ＬＥＤランプは、長手方向の一端に前記ソケット部に嵌め込まれる端子が設けられるとともに他端には連結部が設けられた第一直管型ＬＥＤランプ及び第二直管型ＬＥＤランプの前記連結部同士を連結して前記第一直管型ＬＥＤランプと前記第二直管型ＬＥＤランプを絶縁状態で一本にされた連結ＬＥＤランプであり、
前記電力供給手段は、前記連結ＬＥＤランプを構成する前記第一直管型ＬＥＤランプの端子に、前記ソケット部の一方から電力を供給して前記第一直管型ＬＥＤランプ側を点灯させる第一電力供給部と、前記連結ＬＥＤランプを構成する前記第二直管型ＬＥＤランプの端子に、前記ソケット部の他方から電力を供給して前記第二直管型ＬＥＤランプ側を点灯させる第二電力供給部を備え、
しかも前記第一直管型ＬＥＤランプ及び第二直管型ＬＥＤランプの支持板の上面の溝部には、前記連結ＬＥＤランプの長さよりも短く断面略Ｈ字状である補強部材の下部が嵌め込まれるとともに長手方向にスライド自在かつ上下に結合されて案内され、
前記支持板の上面で、前記連結部を跨いだ状態で前記支持板の動きを拘束する位置に、前記補強部材を固定する位置決め固定部材を備えることを特徴とするＬＥＤ照明装置。
【請求項２】
前記連結部は、前記第一直管型ＬＥＤランプ及び第二直管型ＬＥＤランプを突き合わせたときに両者間に左右より中央が絞られた断面略鼓形の溝部を形成する保持部と、前記溝部の形状に対応した断面略鼓形で前記溝部に圧入される楔部を備えることを特徴とする請求項１に記載のＬＥＤ照明装置。
【請求項３】
前記支持板と前記チューブの他端には断面略Ｄ字状の絶縁カバーが被せられるように取付けられ、
前記灯具は、前記第一直管型ＬＥＤランプ及び第二直管型ＬＥＤランプの連結部分を支持し幅が前記絶縁カバーの長さと略等しいフック状のホルダーを備えることを特徴とする請求項１又は２に記載のＬＥＤ照明装置。
【発明の詳細な説明】
【技術分野】
【０００１】
本発明は、複数のＬＥＤを発光させるＬＥＤ照明装置に関するものである。
【背景技術】
【０００２】
近年、蛍光灯に替わる照明器具として、複数のＬＥＤを発光させる直管型ＬＥＤランプを使用したＬＥＤ照明装置が普及しつつある。
直管型ＬＥＤランプは、蛍光灯に比べて消費電力が小さくしかも製品寿命が長いというメリットがあるので、各社が研究開発及び商品化を進めており、本出願人も直管型ＬＥＤランプについての特許出願を既に行っている（特許文献１）。
【先行技術文献】
【特許文献】
【０００３】
【特許文献１】特開２００９−１６４９３号公報
【０００４】
特許文献１に記載の直管型ＬＥＤランプは、複数のＬＥＤが配列されたプリント基板と、プリント基板が取付けられた支持板、及び支持板の下面に取付けられプリント基板を覆うチューブを有する。そして、図７に示すように、直管型ＬＥＤランプ１０は長手方向の両端部のそれぞれにソケット部２１が設けられた灯具２０に装着され、ＬＥＤ照明装置１００として機能する。
このような直管型ＬＥＤランプ１０は、従来の蛍光灯と同様に明るさによって長さや直径が規格化されており、２０型，４０型，１１０型等の規格がある。
【発明の概要】
【発明が解決しようとする課題】
【０００５】
しかしながら、１１０型の直管型ＬＥＤランプ１０はその長さが２３６７ｍｍにもなり非常に長いので、製品の製作、施工現場までの製品の輸送、施工時の取扱いが難しいという問題があった。
【０００６】
そこで、本発明の目的とするところは、製作や輸送、施工時の取扱いが容易なＬＥＤ照明装置を提供することにある。
【課題を解決するための手段】
【０００７】
上記の目的を達成するために、本発明の請求項１に記載のＬＥＤ照明装置（２００）は、複数のＬＥＤ（１）が配列されたプリント基板（３１），前記プリント基板（３１）が下面に取付けられた支持板（３２），及び、前記支持板（３２）に取付けられ前記支持板（３２）及び前記プリント基板（３１）を下方から覆うチューブ（３３）を有する直管型ＬＥＤランプ（３０）と、長手方向の両端部にそれぞれ取付けられ前記直管型ＬＥＤランプ（３０）の両端を嵌め込んで支持するソケット部（２１），及び、前記ソケット部（２１）を介して前記直管型ＬＥＤランプ（３０）に電力を供給する電力供給手段（２２）を有する灯具（２０）とを備えるＬＥＤ照明装置（２００）において、前記直管型ＬＥＤランプ（３０）は、長手方向の一端に前記ソケット部（２１）に嵌め込まれる端子（３４）が設けられるとともに他端には連結部（３５）が設けられた第一直管型ＬＥＤランプ（３０Ａ）及び第二直管型ＬＥＤランプ（３０Ｂ）の前記連結部（３５）同士を連結して前記第一直管型ＬＥＤランプ（３０Ａ）と前記第二直管型ＬＥＤランプ（３０Ｂ）を絶縁状態で一本にされた連結ＬＥＤランプ（３０）であり、前記電力供給手段（２２）は、前記連結ＬＥＤランプ（３０）を構成する前記第一直管型ＬＥＤランプ（３０Ａ）の端子（３４）に、前記ソケット部（２１）の一方（２１Ａ）から電力を供給して前記第一直管型ＬＥＤランプ（３０Ａ）側を点灯させる第一電力供給部（２３）と、前記連結ＬＥＤランプ（３０）を構成する前記第二直管型ＬＥＤランプ（３０Ｂ）の端子（３４）に、前記ソケット部（２１）の他方（２１Ｂ）から電力を供給して前記第二直管型ＬＥＤランプ（３０Ｂ）側を点灯させる第二電力供給部（２４）を備え、しかも前記第一直管型ＬＥＤランプ（３０Ａ）及び第二直管型ＬＥＤランプ（３０Ｂ）の支持板（３２）の上面の溝部には、前記連結ＬＥＤランプ（３０）の長さよりも短く断面略Ｈ字状である補強部材（３６）の下部が嵌め込まれるとともに長手方向にスライド自在かつ上下に結合されて案内され、前記支持板（３２）の上面で、前記連結部（３５）を跨いだ状態で前記支持板（３２）の動きを拘束する位置に、前記補強部材（３６）を固定する位置決め固定部材（３７）を備えることを特徴とする。
【０００９】
また、請求項２に記載のＬＥＤ照明装置（２００）は、前記連結部（３５）は、前記第一直管型ＬＥＤランプ（３０Ａ）及び第二直管型ＬＥＤランプ（３０Ｂ）を突き合わせたときに両者間に左右より中央が絞られた断面略鼓形の溝部（３８）を形成する保持部（３９）と、前記溝部（３８）の形状に対応した断面略鼓形で前記溝部（３８）に圧入される楔部（４１）を備えることを特徴とする。
【００１０】
また、請求項３に記載のＬＥＤ照明装置（２００）は、前記支持板（３２）と前記チューブ（３３）の他端には断面略Ｄ字状の絶縁カバー（４３）が被せられるように取付けられ、前記灯具（２０）は、前記第一直管型ＬＥＤランプ（３０Ａ）及び第二直管型ＬＥＤランプ（３０Ｂ）の連結部（３５）分を支持し幅が前記絶縁カバー（４３）の長さと略等しいフック状のホルダー（２５）を備えることを特徴とする。
【００１５】
ここで、上記括弧内の記号は、図面および後述する発明を実施するための形態に掲載された対応要素または対応事項を示す。
【発明の効果】
【００１６】
本発明によれば、直管型ＬＥＤランプは、長手方向の一端にソケット部に嵌め込まれる端子が設けられるとともに他端には連結部が設けられた第一直管型ＬＥＤランプ及び第二直管型ＬＥＤランプの連結部同士を連結して一本にされた連結ＬＥＤランプであるので、製品の製作、施工現場までの輸送、及び施工時の取扱いについては、連結前の状態となる第一直管型ＬＥＤランプ及び第二直管型ＬＥＤランプ毎に行うことができる。
そして、施工現場において第一直管型ＬＥＤランプ及び第二直管型ＬＥＤランプを連結して、長さの長い直管型ＬＥＤランプとして使用できるので、最初から長さの長い一本物の直管型ＬＥＤランプに比べて、製造、輸送、及び施工時の取扱いが容易である。
また、灯具の電力供給手段は、連結ＬＥＤランプを構成する第一直管型ＬＥＤランプの端子に、ソケット部の一方から電力を供給して第一直管型ＬＥＤランプ側を点灯させる第一電力供給部と、連結ＬＥＤランプを構成する第二直管型ＬＥＤランプの端子に、ソケット部の他方から電力を供給して第二直管型ＬＥＤランプ側を点灯させる第二電力供給部を備えるので、従来の一本物として構成された直管型ＬＥＤランプを第一直管型ＬＥＤランプと第二直管型ＬＥＤランプとの二本に分割した構造であっても、第一直管型ＬＥＤランプ及び第二直管型ＬＥＤランプのそれぞれを点灯させることができ、従来の一本物の直管型ＬＥＤランプと同等の明るさを確保できる。
【００１７】
また、本発明によれば、第一直管型ＬＥＤランプ及び第二直管型ＬＥＤランプの支持板の上面には、補強部材が案内され、支持板の上面で連結部を跨いだ状態で支持板の動きを拘束する位置に、補強部材を固定する位置決め固定部材を備えるので、第一直管型ＬＥＤランプ及び第二直管型ＬＥＤランプの連結部同士を連結して一本にされた連結ＬＥＤランプでも、その連結部分の強度を保つことができる。よって、連結ＬＥＤランプをソケット部に嵌め込んだ後に長期間経過しても、重力の影響等で連結ＬＥＤランプの連結部分が外れてしまうことがないので、第一直管型ＬＥＤランプ及び第二直管型ＬＥＤランプが落下せず安全である。
さらに、補強部材は長手方向にスライド自在に延びるように両ランプの支持板の上面に案内されているので、例えば第一直管型ＬＥＤランプと第二直管型ＬＥＤランプが同一の長さの場合、補強部材の長手方向略中央部が第一直管型ＬＥＤランプと第二直管型ＬＥＤランプとの境界に位置するように補強部材をスライド調整させることにより確実に連結部分を補強することができ、一本の連結されたＬＥＤランプを安定して供給することができる。特に、第一直管型ＬＥＤランプの長さが第二直管型ＬＥＤランプの長さとは異なっていても、補強部材を連結部分までスライドさせその連結部分から第一直管型ＬＥＤランプ側に侵入する長さと第二直管型ＬＥＤランプ側に侵入する長さのバランスを調整した位置に固定することで確実に連結部分を補強して一本の連結されたＬＥＤランプを安定して供給することができる。例えば第一直管型ＬＥＤランプと第二直管型ＬＥＤランプの長さの比が１対２の場合、補強部材を長手方向略中央部を中心に第一直管型ＬＥＤランプと第二直管型ＬＥＤランプとに侵入する長さの比を１対２、あるいは１対２となる付近に位置するように補強部材をスライド調整すれば確実に連結部分を補強することができ、一本の連結されたＬＥＤランプを安定して供給することができる。
しかも、補強部材は連結ＬＥＤランプの長さよりも短いので、連結部分を補強しつつ補強部材の重量を抑えることができ、連結ＬＥＤランプが落下する危険性をさらに低減可能である。
【００１８】
また、本発明によれば、連結部は、第一直管型ＬＥＤランプ及び第二直管型ＬＥＤランプを突き合わせたときに両者間に左右より中央が絞られた断面略鼓形の溝部を形成する保持部と、溝部の形状に対応した断面略鼓形で溝部に圧入される楔部を備えるので、第一直管型ＬＥＤランプと第二直管型ＬＥＤランプとの連結を行う際には楔部を溝部に圧入するだけで容易に連結でき、しかも断面略鼓形の溝部よりも断面積の大きい楔部を圧入しているので確実かつ強固に連結される。
【００１９】
また、本発明によれば、灯具は、第一直管型ＬＥＤランプ及び第二直管型ＬＥＤランプの連結部分を支持するフック状のホルダーを備えるので、連結部分に掛かる荷重を軽減することができ、第一直管型ＬＥＤランプ及び第二直管型ＬＥＤランプの落下の危険性をさらに低減できる。
しかも、ホルダーで支持する箇所は発光しない連結部分なので、支持するときに光量が低減して暗くなってしまうこともない。
さらに、例えば請求項３に記載の発明においては、溝部に圧入されている楔部をホルダーが覆うことになるので、溝部から楔部が抜けてしまうことを防止することができる。
【００２３】
なお、本発明のＬＥＤ照明装置のように、第一直管型ＬＥＤランプ及び第二直管型ＬＥＤランプの前記連結部同士を連結して一本にする点は、上述した特許文献１には全く記載されていない。
【図面の簡単な説明】
【００２４】
【図１】本発明の実施形態に係るＬＥＤ照明装置を示す分解斜視図であり、円内は第一直管型ＬＥＤランプと第二直管型ＬＥＤランプとの連結部分の拡大斜視図である。
【図２】本発明の実施形態に係るＬＥＤ照明装置を示す側面図である。
【図３】本発明の実施形態に係るＬＥＤ照明装置を示す、図２のＡ−Ａ線拡大断面図である。
【図４】図１に示す直管型ＬＥＤランプの回路構成図である。
【図５】本発明の実施形態に係るＬＥＤ照明装置の施工方法を示す配線図であって、（ａ）は配線変更前である従来の蛍光灯を使用した照明装置を、（ｂ）は配線変更後である図２のＬＥＤ照明装置を示す。
【図６】本発明の他の実施形態に係るＬＥＤ照明装置を示す側面図である。
【図７】従来例に係るＬＥＤ照明装置を示す側面図である。
【発明を実施するための形態】
【００２５】
図１乃至図５を参照して、本発明の実施形態に係るＬＥＤ照明装置２００を説明する。
このＬＥＤ照明装置２００は、直管型ＬＥＤランプ３０と、灯具２０と、を備えるものであり、従来例で示したものと同一部分には同一符号を付した。
【００２６】
直管型ＬＥＤランプ３０は、第一直管型ＬＥＤランプ３０Ａ及び第二直管型ＬＥＤランプ３０Ｂからなり、両者３０Ａ，３０Ｂは同一の構成であり長さも同一である。よって、ここでは第一直管型ＬＥＤランプ３０Ａについてのみ詳細に説明する。
第一直管型ＬＥＤランプ３０Ａは、図３に示したように、複数のＬＥＤ１が下向きに配列されたプリント基板３１，プリント基板３１がその下面に取付けられた支持板３２，及び、支持板３２に取付けられ支持板３２及びプリント基板３１を下方から覆うチューブ３３を有する。また、各ランプ３０Ａ，３０Ｂの長手方向の一端にはソケット部２１に嵌め込まれる端子３４が設けられるとともに他端には連結部３５が設けられている。
【００２７】
プリント基板３１は、図３及び図４に示すように、その表面で複数のＬＥＤ１同士が直列に接続され、これらのＬＥＤ１には複数のゼナーダイオード２がそのアノード側をＬＥＤ１のカソード側に並列して（いわゆる、逆並列で）接続される。ＬＥＤ１とゼナーダイオード２との一セットは、一列でプリント基板３１の長手方向に並ぶ。ＬＥＤ１の個数は、直管型ＬＥＤランプの全長等によって変わり、また、例えば二列で配列してもよく、特に配列方法は限定されるものではない。
そして、ＬＥＤ１及びゼナーダイオード２に電源から電力が供給される。
なお、プリント基板３１自体に印加される電圧は交流電圧であるが、図４に示すように、ダイオードスタック３によって直流に変換され、その電流は定電流ダイオード４によって電圧に関係なく一定に制御される。
【００２８】
支持板３２は、アルミ製のレールで構成されており、プリント基板３１が下面に直接取付けられており、ＬＥＤ１が下方に露出している。
支持板３２の上面の左右方向（支持板３２の短手方向となる図３における左右方向）中央には、上側に断面略Ｔ字状に突出する突出部３２ａが支持板３２の長手方向に延びるように形成されている。また、突出部３２ａの左右先端には下向きの係止片３２ｂが形成されている。
また、突出部３２ａの左右方向外側には左右方向外向きの係止片３２ｄが上端に形成された断面略Ｌ字状の突出片３２ｃが形成されている。
さらに、支持板３２の下面の左右両端部に、側壁３２ｅが長手方向に延びるように形成されている。この側壁３２ｅ間にプリント基板３１が配置される。支持板３２に対するプリント基板３１の固定はネジ止めによるものであるが、接着剤等による固定であってもよい。
【００２９】
チューブ３３は、断面略半円形状で透明（半透明であってもよい）であり、支持板３２の上面を露出させた状態でプリント基板３１及び支持板３２の下面を覆い、左右方向内側に折り返されて爪形状になっているチューブ３３の左右両側端部３３ａが、支持板３２に形成された突出片３２ｃの係止片３２ｄと支持板３２の上面側の左右両側壁部との間に形成された断面略Ｌ字形の溝に嵌め込まれることによって、支持板３２に取付けられている。
また、チューブ３３の内側には、ＬＥＤ１の光を拡散するフィルム（図示しない）が貼着されている。
そして、支持板３２にチューブ３３が取付けられた状態で、図１に示すように、それらの一端に断面略Ｄ字状の口金４２が被せられるように取付けられる。その口金４２の端面には端子３４が設けられている。
また、支持板３２とチューブ３３の他端には、断面略Ｄ字状の絶縁カバー４３が被せられるように取付けられ、絶縁カバー４３の外側（左右に延びる第一直管型ＬＥＤランプ３０Ａの右側、すなわち第二直管型ＬＥＤランプ３０Ｂ側）端部には、第一直管型ＬＥＤランプ３０Ａの延びる左右方向に直交して略水平に延びる溝部４３ａが形成されている。溝部４３ａは、開口部側よりも奥行き側が長い断面略台形状をしている。
【００３０】
連結部３５は、図１に示すように、第一直管型ＬＥＤランプ３０Ａ及び第二直管型ＬＥＤランプ３０Ｂを突き合わせたときに両者間に左右より中央が絞られた断面略鼓形の溝部３８を形成する保持部３９と、溝部３８の形状に対応した断面略鼓形で溝部３８に圧入される楔部４１を備える。断面略鼓形の溝部３８は、第一直管型ＬＥＤランプ３０Ａ側の絶縁カバー４３に形成された断面略台形状の溝部４３ａと、第二直管型ＬＥＤランプ３０Ｂ側の絶縁カバー４３に形成された断面略台形状の溝部４３ａが合わせられることによって形成される。また、楔部４１の断面形状も略鼓形であるがその断面積は溝部３８よりも若干大きく圧入されるようにしている。
そして、断面略鼓形の溝部３８に楔部４１を圧入して、第一直管型ＬＥＤランプ３０Ａ及び第二直管型ＬＥＤランプ３０Ｂを一直線状に連結して一本にされたものが連結ＬＥＤランプ３０である。なお、第一直管型ＬＥＤランプ３０Ａ内の回路と第二直管型ＬＥＤランプ３０Ｂ内の回路は絶縁されている。
この連結ＬＥＤランプ３０は１１０型であって、その全長は２３６７ｍｍである。
【００３１】
補強部材３６は、図３に示すように、断面略Ｈ字状であって下端が左右方向内側に突出する係止片３６ａとなっており、補強部材３６の長さは連結ＬＥＤランプ３０の長さよりも短い。
また、補強部材３６は、第一直管型ＬＥＤランプ３０Ａ及び第二直管型ＬＥＤランプ３０Ｂ（連結ＬＥＤランプ３０）の支持板３２の上面に、長手方向にスライド自在に案内されるように支持板３２の上面にはめ込まれている。詳しくは、図３に示すように、支持板３２の上面の突出部３２ａと突出片３２ｃとの間の二箇所に形成される溝部に、補強部材３６の下部がそれぞれ嵌め込まれ、上下方向に重力等で支持板３２に力が加わったときには突出部３２ａの係止片３２ｂと補強部材３６の係止片３６ａとが上下方向について当接する。そして、補強部材３６の長さは第一直管型ＬＥＤランプ３０Ａの長さと略等しい。
この補強部材３６は、その長手方向略中央部が第一直管型ＬＥＤランプ３０Ａと第二直管型ＬＥＤランプ３０Ｂとの境界に位置するように連結部３５を跨いだ状態で、支持板３２の動きを拘束する位置に、位置決め固定部材３７（ここではネジ）によって灯具２０の本体部２６に対して固定される。ここでは第一直管型ＬＥＤランプ３０Ａの支持板３２と補強部材３６を一つの位置決め固定部材３７で固定して、かつ第二直管型ＬＥＤランプ３０Ｂの支持板３２と補強部材３６を他の位置決め固定部材３７で固定する。
なお、この位置決め固定部材３７でプリント基板３１、支持板３２、及び補強部材３６をまとめて灯具２０の本体部２６に固定してもよい。また、位置決め固定部材３７はネジに限定されるものではなく支持板２側あるいは補強部材３６側に設けられ所定位置で両者を固定するストッパー機能を有するものであってもよい。
【００３２】
灯具２０は、部屋の天井に取付けられ連結ＬＥＤランプ３０を支持するものであって、外観は従来の蛍光灯用の灯具２０と同様である。そして、本体部２６と、ソケット部２１と、ソケット部２１を介して第一直管型ＬＥＤランプ３０Ａに電力を供給する第一電力供給部２３、第二直管型ＬＥＤランプ３０Ｂに電力を供給する第二電力供給部２４、及びホルダー２５を有する。
この灯具２０は、一本の連結ＬＥＤランプ３０が取付けられるタイプであるが、連結ＬＥＤランプ３０の取付け可能本数はこれに限られるものではない。
ソケット部２１（２１Ａ，２１Ｂ）は、本体部２６の長手方向の両端部の下方に、それぞれ向かい合うように取付けられ、ソケット部２１間に連結ＬＥＤランプ３０の両端（端子３４）を嵌め込んで、ソケット部２１に内蔵されたバネの弾性力により連結ＬＥＤランプ３０を支持する。
【００３３】
第一電力供給部２３は、図４に示すように、連結ＬＥＤランプ３０を構成する第一直管型ＬＥＤランプ３０Ａの端子３４に、ソケット部２１の一方２１Ａから電力を供給して第一直管型ＬＥＤランプ３０Ａ側を点灯させる。
また、第二電力供給部２４は、連結ＬＥＤランプ３０を構成する第二直管型ＬＥＤランプ３０Ｂの端子３４に、ソケット部２１の他方２１Ｂから電力を供給して第二直管型ＬＥＤランプ３０Ｂ側を点灯させる。
つまり、連結ＬＥＤランプ３０を構成する第一直管型ＬＥＤランプ３０Ａには、第二直管型ＬＥＤランプ３０Ｂとは独立して電力が供給される。
このように第一電力供給部２３及び第二電力供給部２４は、それぞれ第一直管型ＬＥＤランプ３０Ａや第二直管型ＬＥＤランプ３０Ｂに電力が供給できればよく、第一電力供給部２３及び第二電力供給部２４には抵抗その他の電子部品が適宜組み込まれる。
【００３４】
ホルダー２５は、フック状であって灯具２０の本体部２６中央に取付けられており、第一直管型ＬＥＤランプ３０Ａ及び第二直管型ＬＥＤランプ３０Ｂの連結部分を支持する。ホルダー２５の幅（灯具２０における長手方向の長さ）は絶縁カバー４３の長手方向の長さと略等しく、フック部分の曲率は絶縁カバー４３の曲率と略一致する。
このように連結ＬＥＤランプ３０は両端がソケット部２１によって、また中央がホルダー２５によって支持されている。
【００３５】
次に、図５を参照して、スタータ式の蛍光灯３０１を用いた従来の照明装置３００（既設のもの）を、以上のように構成されるＬＥＤ照明装置２００に置換する施工方法について説明する。
まず、従来の照明装置３００は、図５（ａ）に示すように、蛍光灯３０１の左右端部にそれぞれ二本ずつ端子３０２ａ，３０２ｂ，３０２ｃ，３０２ｄを備えており左右の端子３０２ａ，３０２ｃの一本ずつがグローランプ３０３に接続され、残りの二本の端子３０２ｂ，３０２ｄに安定器３０４を介して交流電圧が印加されている。
【００３６】
ここで、図５（ｂ）に示すように、グローランプ３０３と安定器３０４を取り外し、一方のソケット部２１Ａから交流電圧を印加し、かつ他方のソケット部２１Ｂからも交流電圧を印加できるように、灯具２０内を配線し直す。
そして、第一直管型ＬＥＤランプ３０Ａと第二直管型ＬＥＤランプ３０Ｂとを連結してなる一本の連結ＬＥＤランプ３０を灯具２０のソケット部２１間に装着する。
【００３７】
以上のように構成及び施工されるＬＥＤ照明装置２００によれば、直管型ＬＥＤランプ３０は、長手方向の一端にソケット部２１に嵌め込まれる端子３４が設けられるとともに他端には連結部３５が設けられた第一直管型ＬＥＤランプ３０Ａ及び第二直管型ＬＥＤランプ３０Ｂの連結部３５同士を連結して一本にされた連結ＬＥＤランプ３０であるので、製品の製作、施工現場までの輸送、及び施工時の取扱いについては、連結前の状態となる第一直管型ＬＥＤランプ３０Ａ及び第二直管型ＬＥＤランプ３０Ｂ毎に行うことができる。
そして、施工現場において第一直管型ＬＥＤランプ３０Ａ及び第二直管型ＬＥＤランプ３０Ｂを施工現場で連結して、長さの長い直管型ＬＥＤランプ３０として使用できるので、最初から長さの長い一本物の直管型ＬＥＤ１０ランプに比べて、製造、輸送、及び施工時の取扱いが容易である。
【００３８】
また、連結ＬＥＤランプ３０を構成する第一直管型ＬＥＤランプ３０Ａの端子３４に、ソケット部２１の一方２１Ａから電力を供給して第一直管型ＬＥＤランプ３０Ａ側を点灯させる第一電力供給部２３と、連結ＬＥＤランプ３０を構成する第二直管型ＬＥＤランプ３０Ｂの端子３４に、ソケット部２１の他方２１Ｂから電力を供給して第二直管型ＬＥＤランプ３０Ｂ側を点灯させる第二電力供給部２４を備えるので、従来の一本物として構成された直管型ＬＥＤランプ１０を第一直管型ＬＥＤランプ３０Ａと第二直管型ＬＥＤランプ３０Ｂとの二本に分割した構造であっても、第一直管型ＬＥＤランプ３０Ａ及び第二直管型ＬＥＤランプ３０Ｂのそれぞれを点灯させることができ、従来の一本物の直管型ＬＥＤランプ１０と同等の明るさを確保できる。
【００３９】
また、第一直管型ＬＥＤランプ３０Ａ及び第二直管型ＬＥＤランプ３０Ｂの支持板３２の上面には、補強部材３６が案内され、支持板３２の上面で連結部３５を跨いだ状態で支持板３２の動きを拘束する位置に、補強部材３６を固定する位置決め固定部材３７を備えるので、第一直管型ＬＥＤランプ３０Ａ及び第二直管型ＬＥＤランプ３０Ｂの連結部３５同士を連結して一本にされた連結ＬＥＤランプ３０でも、その連結部分の強度を保つことができる。よって、連結ＬＥＤランプ３０をソケット部２１に嵌め込んだ後に長期間経過しても、重力の影響等で連結ＬＥＤランプ３０の連結部分が外れてしまうことがないので、第一直管型ＬＥＤランプ３０Ａ及び第二直管型ＬＥＤランプ３０Ｂが落下せず安全である。
さらに、補強部材３６は長手方向にスライド自在に延びるように両ランプ３０Ａ，３０Ｂの支持板３２の上面に案内されているので、両ランプ３０Ａ，３０Ｂの長さが同一である本実施形態においては、補強部材３６の長手方向略中央部が第一直管型ＬＥＤランプ３０Ａと第二直管型ＬＥＤランプ３０Ｂとの境界に位置するように補強部材３６をスライド調整させることにより確実に連結部分を補強することができ、一本の連結されたＬＥＤランプ３０を安定して供給することができる。
しかも、補強部材３６は連結ＬＥＤランプ３０の長さよりも短いので、連結部分を補強しつつ補強部材３６の重量を抑えることができ、連結ＬＥＤランプ３０が落下する危険性をさらに低減可能である。
【００４０】
また、連結部３５は、第一直管型ＬＥＤランプ３０Ａ及び第二直管型ＬＥＤランプ３０Ｂを突き合わせたときに両者間に左右より中央が絞られた断面略鼓形の溝部３８を形成する保持部３９と、溝部３８の形状に対応した断面略鼓形で溝部３８に圧入される楔部４１を備えるので、第一直管型ＬＥＤランプ３０Ａと第二直管型ＬＥＤランプ３０Ｂとの連結を行う際には楔部４１を溝部３８に圧入するだけで容易に連結でき、しかも断面略鼓形の溝部３８よりも断面積の大きい楔部４１を圧入しているので確実かつ強固に連結される。
【００４１】
また、灯具２０は、第一直管型ＬＥＤランプ３０Ａ及び第二直管型ＬＥＤランプ３０Ｂの連結部分を支持するフック状のホルダー２５を備えるので、連結部分に掛かる荷重を軽減することができ、第一直管型ＬＥＤランプ３０Ａ及び第二直管型ＬＥＤランプ３０Ｂの落下の危険性をさらに低減できる。
しかも、ホルダー２５で支持する箇所は発光しない連結部分なので、支持するときに光量が低減して暗くなってしまうこともない。
さらに、溝部３８に圧入されている楔部４１をホルダー２５が覆うことになるので、溝部３８から楔部４１が抜けてしまうことを防止することができる。
【００４２】
なお、本実施形態において、第一直管型ＬＥＤランプ３０Ａは第二直管型ＬＥＤランプ３０Ｂと同一の構成としたが、これに限られるものではなく、図６に示すように、第一直管型ＬＥＤランプ３０Ａの長さは、第二直管型ＬＥＤランプ３０Ｂの長さより短くてもよい。これとは逆に、第一直管型ＬＥＤランプ３０Ａの長さが第二直管型ＬＥＤランプ３０Ｂの長さより長くてもよい。
このように第一直管型ＬＥＤランプ３０Ａの長さが第二直管型ＬＥＤランプ３０Ｂの長さとは異なっていても、補強部材３６を連結部分から第一直管型ＬＥＤランプ３０Ａ側に侵入する長さと第二直管型ＬＥＤランプ３０Ｂ側に侵入する長さのバランスを調整した位置に固定することで確実に連結部分を補強して一本の連結されたＬＥＤランプ３０を安定して供給することができる。例えば第一直管型ＬＥＤランプ３０Ａと第二直管型ＬＥＤランプ３０Ｂの長さの比が１対２の場合、補強部材３６を長手方向略中央部を中心に第一直管型ＬＥＤランプ３０Ａと第二直管型ＬＥＤランプ３０Ｂとに侵入する長さの比を１対２、あるいは１対２となる付近に位置するように補強部材３６をスライド調整すれば確実に連結部分を補強することができ、一本の連結されたＬＥＤランプ３０を安定して供給することができる。また、第一直管型ＬＥＤランプ３０Ａと第二直管型ＬＥＤランプ３０Ｂの長さの比が１対２の場合に限らず、第一直管型ＬＥＤランプ３０Ａと第二直管型ＬＥＤランプ３０Ｂの長さの比がＸ対Ｙのとき、補強部材３６を長手方向略中央部を中心に第一直管型ＬＥＤランプ３０Ａと第二直管型ＬＥＤランプ３０Ｂとに侵入する長さの比をＸ対Ｙにすることが望ましい。
【００４３】
また、補強部材３６と位置決め固定部材３７を備えるとしたが、これに限られるものではなく、第一直管型ＬＥＤランプ３０Ａと第二直管型ＬＥＤランプ３０Ｂとの連結が強固に行われていれば、必ずしも必要ではない。
また、連結部３５は保持部３９と楔部４１を備え、それによって第一直管型ＬＥＤランプ３０Ａと第二直管型ＬＥＤランプ３０Ｂとを連結したが、これに限られるものではなく、両者３０Ａ，３０Ｂの連結方法は他の周知技術によるものでもよい。
【００４４】
また、灯具２０はホルダー２５を備えるとしたが、これに限られるものではない。
さらに、既設の従来の照明装置３００から本実施形態に係るＬＥＤ照明装置２００に置換したが、例えば新築の住宅にＬＥＤ照明装置２００を新設してもよい。
【００４５】
また、補強部材３６の長さは第一直管型ＬＥＤランプ３０Ａ及び第二直管型ＬＥＤランプ３０Ｂの長さと略等しいとしたが、第一直管型ＬＥＤランプ３０Ａ，第二直管型ＬＥＤランプ３０Ｂのうち長さが短い方よりも長さが短いことが好ましい。
【符号の説明】
【００４６】
１      ＬＥＤ
２      ゼナーダイオード
３      ダイオードスタック
４      定電流ダイオード
１０      直管型ＬＥＤランプ
２０      灯具
２１      ソケット部
２２      電力供給手段
２３      第一電力供給部
２４      第二電力供給部
２５      ホルダー
２６      本体部
３０      直管型ＬＥＤランプ（連結ＬＥＤランプ）
３０Ａ    第一直管型ＬＥＤランプ
３０Ｂ    第二直管型ＬＥＤランプ
３１      プリント基板
３２      支持板
３２ａ    突出部
３２ｂ    係止片
３２ｃ    突出片
３２ｄ    係止片
３２ｅ    側壁
３３      チューブ
３３ａ    側端部
３４      端子
３５      連結部
３６      補強部材
３６ａ    係止片
３７      位置決め固定部材
３８      溝部
３９      保持部
４１      楔部
４２      口金
４３      絶縁カバー
１００      ＬＥＤ照明装置
２００      ＬＥＤ照明装置
３００      照明装置
３０１      蛍光灯
３０２ａ    端子
３０２ｂ    端子
３０２ｃ    端子
３０２ｄ    端子
３０３      グローランプ
３０４      安定器
【図１】
0005514168.tif 000002
【図２】
0005514168.tif 000003
【図３】
0005514168.tif 000004
【図４】
0005514168.tif 000005
【図５】
0005514168.tif 000006
【図６】
0005514168.tif 000007
【図７】
0005514168.tif 000008